(57)【要約】【課題】変色前と変色後の色を同時に視認することができ、説明書きや色見本が不要な湿気インジケータを備えた密封袋を得る。【解決手段】  湿気を感知して変色する薬剤１２を含浸又は塗布した湿気感知シート１１と、袋本体を構成する透明湿気不透過性のプラスチックフィルム２の内側に湿気感知シート１１を覆って貼り付けるための湿気不透過性粘着シール１５と、からなる湿気インジケータを備えた密封袋。湿気不透過性粘着シール１５は、湿気感知シート１１よりも広い面積を有し、かつ、湿気感知シート１１の面積よりも小さな通気開口部１６が形成されている。湿気感知シート１１は通気開口部１６に臨む部分が袋内部の湿気によって変色し、徐々に通気開口部１６の周囲に変色が広がっていく。【選択図】図４
2007176540.tif 000002
【特許請求の範囲】
【請求項１】
湿気不透過性プラスチックフィルムからなる密封袋であって、
湿気を感知して変色する薬剤を含浸又は塗布した湿気感知シートと、前記湿気不透過性プラスチックフィルムの透明部分の内側に前記湿気感知シートを覆って貼り付けるための湿気不透過性粘着シールと、を備え、
前記湿気不透過性粘着シールは、前記湿気感知シートよりも広い面積を有し、かつ、前記湿気感知シートの面積よりも小さな通気開口部が形成されていること、
を特徴とする密封袋。
【請求項２】
湿気を感知して変色する薬剤が湿気感知シートの片面に塗布されており、該塗布面が前記湿気不透過性プラスチックフィルムの内側に向けて前記湿気不透過性粘着シールにて貼り付けられていることを特徴とする請求項１記載の密封袋。
【発明の詳細な説明】
【技術分野】
【０００１】
本発明は、密封袋、特に、内部に湿気インジケータを備えた湿気不透過性プラスチックフィルムからなる密封袋に関する。
【背景技術】
【０００２】
従来から、周囲の湿度に応じて変色する湿気インジケータが種々提供されている（特許文献１〜４参照）。この種の湿気インジケータとしてよく知られているのは、塗料に塩化コバルト、塩化カルシウムなどを添加し、湿度に対して変色する薬剤を布や紙などに含浸又は塗布したものである。
【０００３】
しかしながら、従来の湿気インジケータは、薬剤の全体が湿気に応じて変色するため、変色してしまうと変色前の色が判然とせず、インジケータのみでは湿気の変化を視認することが困難であるという問題点を有していた。
【０００４】
そこで、湿気インジケータを備えた袋や容器などには乾燥時と湿気時の色を説明書きしたり、色見本を印刷しておくことが必要とされていた。しかし、説明書きや色見本を印刷しておくのは煩雑であり、印刷スペースを必要とし、コストも上昇する。
【特許文献１】特開昭５８−２１６９３６号公報
【特許文献２】実開昭６４−２８９３４号公報
【特許文献３】特開平１１−１６１１７７号公報
【特許文献４】特開２０００−５１５８６号公報
【発明の開示】
【発明が解決しようとする課題】
【０００５】
そこで、本発明の目的は、変色前と変色後の色を同時に視認することができ、説明書きや色見本が不要な湿気インジケータを備えた密封袋を提供することにある。
【課題を解決するための手段】
【０００６】
前記目的を達成するため、本発明は、湿気不透過性プラスチックフィルムからなる密封袋であって、
湿気を感知して変色する薬剤を含浸又は塗布した湿気感知シートと、前記湿気不透過性プラスチックフィルムの透明部分の内側に前記湿気感知シートを覆って貼り付けるための湿気不透過性粘着シールと、を備え、
前記湿気不透過性粘着シールは、前記湿気感知シートよりも広い面積を有し、かつ、前記湿気感知シートの面積よりも小さな通気開口部が形成されていること、
を特徴とする。
【０００７】
本発明においては、湿気感知シートは、湿気不透過性プラスチックフィルムの透明部分の内側と湿気不透過性粘着シールとで挟着された状態にあり、湿気不透過性粘着シールに形成した通気開口部に臨む部分が湿気によって変色し、徐々に通気開口部の周囲に変色が広がっていく。この過程で、変色の程度、即ち、乾燥時の元の色と湿気で変色した色とを直接同時に目視して比較することができ、変色の度合を視認できるので説明書きや色見本は不要である。湿気感知シートが湿気不透過性プラスチックフィルムの内側と湿気不透過性粘着シールとで挟着された部分はなかなか湿気が浸透せず、色の変化は極めて緩慢に生じる。それゆえ、乾燥時の色と吸湿時の変色とを同時に比較でき、湿気で変色した状態を明瞭に視認できるのである。
【０００８】
また、本発明においては、湿気を感知して変色する薬剤が湿気感知シートの片面に塗布されており、該塗布面が湿気不透過性プラスチックフィルムの内側に向けて湿気不透過性粘着シールにて貼り付けられていることが好ましい。薬剤の塗布面をプラスチックフィルムの透明部分に密接させることで湿気感知シートの色を鮮明に目視することができ、しかも、袋の内容物が薬剤に触れることがないという効果を奏する。
【発明を実施するための最良の形態】
【０００９】
以下、本発明に係る密封袋の実施例について添付図面を参照して説明する。
【００１０】
図１に、湿気インジケータ１０を備えた密封袋１を示す。この密封袋１は透明プラスチックフィルム２を重ねて溶断あるいは溶着した周知の袋であり、プラスチックフィルム２は湿気インジケータ１０が以下に説明するように貼り付けられた部分が少なくとも透明で湿気不透過性である。
【００１１】
湿気インジケータ１０は、図２に示す湿気感知シート１１と、図３に示す粘着シール１５とで構成されている。湿気感知シート１１は、例えば不織布であり、その片面に湿気を感知して変色する薬剤１２、例えば、塩化コバルト含有薬剤（乾燥時は青色、吸湿時は赤色に変色）が塗布されている。なお、シート１１の材質や薬剤の種類は種々のものを使用することができ、薬剤１２をシート１１に含浸させてもよい。
【００１２】
粘着シール１５は、湿気不透過性の材料、例えばポリエチレンテレフタレートフィルムからなり、湿気感知シート１１よりも広い面積を有し、かつ、湿気感知シート１１よりも小さな通気開口部１６が形成されている。
【００１３】
図４に示すように、湿気感知シート１１は粘着シール１５によって袋本体を構成するプラスチックフィルム２の内側に貼り付けられる。このとき、通気開口部１６が湿気感知シート１１の中央部に臨み、湿気感知シート１１の周辺部分はプラスチックフィルム２と粘着シール１５とで挟着されることになる。また、湿気感知シート１１は薬剤１２の塗布面がプラスチックフィルム２の内側に向けて貼り付けられている。
【００１４】
以上の構成からなる湿気インジケータ１０において、湿気感知シート１１は、プラスチックフィルム２の内側と粘着シール１５とで挟着された状態にあり、袋内の湿度が上昇すると通気開口部１６に臨む部分が湿気によって変色し（図５の斜線部分参照）、徐々に通気開口部１６の周囲（図５のドット部分参照）に変色が広がっていく。この過程で、変色の程度を、即ち、乾燥時の元の色と湿気で変色した色とを同時に直接比較でき、湿気で変色した状態を明瞭に視認することができる。従って、色変化の説明書きや色見本は不要である。
【００１５】
即ち、湿気感知シート１１のプラスチックフィルム２の内側と粘着シール１５とで挟着された周辺部分はなかなか湿気が浸透せず、色の変化は極めて緩慢に生じる。それゆえ、乾燥時の色と吸湿時の変色とを同時に明瞭に認識することができる。
【００１６】
また、湿気を感知して変色する薬剤１２が湿気感知シート１１の片面に塗布されており、該塗布面がプラスチックフィルム２の内側に向けて粘着シール１５にて貼り付けられているため、薬剤１２の塗布面がプラスチックフィルム２に密接し、湿気感知シート１１の色を鮮明に目視することができる。しかも、袋１の内容物が薬剤１２に触れることがないので衛生などの面で安全でもある。
【００１７】
なお、本発明に係る密封袋は、前記実施例に限定されるものではなく、その要旨の範囲内で種々に変更することができる。
【００１８】
例えば、前記実施例では、表示の鮮明性や安全面などを考慮して薬剤塗布面をプラスチックフィルムの内側に向けて貼り付けたものを示したが、薬剤塗布面を袋の内側に向けて貼り付けてもよい。
【図面の簡単な説明】
【００１９】
【図１】本発明に係る密封袋の一実施例を示す正面図である。
【図２】湿気インジケータを構成する湿気感知シートを示し、（Ａ）は平面図、（Ｂ）はＸ−Ｘ断面図である。
【図３】湿気インジケータを構成する粘着シールを示し、（Ａ）は平面図、（Ｂ）はＹ−Ｙ断面図である。
【図４】湿気感知シートをプラスチックフィルムの内側に貼り付けた状態を示し、（Ａ）は内側から見た平面図、（Ｂ）はＺ−Ｚ断面図である。
【図５】湿気感知シートの変色状態の説明図である。
【符号の説明】
【００２０】
１…密封袋
１０…湿気インジケータ
１１…湿気感知シート
１２…薬剤
１５…粘着シール
１６…通気開口部
【図１】
2007176540.tif 000003
【図２】
2007176540.tif 000004
【図３】
2007176540.tif 000005
【図４】
2007176540.tif 000006
【図５】
2007176540.tif 000007